(57)【特許請求の範囲】
【請求項１】
遊技機に使用されるケーブルに取り付けられるフェライトコアケースであって、
前記ケーブルが挿通される２分割型のフェライトコアと、
前記ケーブルを束ねて締め付けることにより、前記フェライトコアを前記ケーブルに取り付ける位置及び向きを固定する結束手段と
を備え、
前記結束手段は、バンドの外周から鍔部を介して突き出した矢じり形状の凸部を備え、
前記フェライトコアは、前記凸部が嵌め込まれる凹部において前記鍔部の回転を防止する回転防止片を備え、
前記フェライトコアにおいて前記結束手段が設けられる側と反対側が開閉し、前記結束手段に前記ケーブルが挿通される挿通方向と前記フェライトコアに前記ケーブルが挿通される挿通方向とが略平行になる
ことを特徴とするフェライトコアケース。
【請求項２】
前記フェライトコアの端面外周は、八角形であり、
前記フェライトコアの端面内周は、前記八角形のうちの相互に対向する２辺を２つ組み合わせた四角形である
ことを特徴とする請求項１に記載のフェライトコアケース。
【請求項３】
前記遊技機は、遊技の制御を行う主制御基板と、遊技の進行に応じた演出の制御を行う副制御基板と、当該遊技機の各装置に電力を供給する電源基板と、当該遊技機において使用されるケーブルとを備え、
前記フェライトコアケースは、前記電源基板に接続されるケーブルに取り付けられることを特徴とする請求項１又は２に記載のフェライトコアケース。
【請求項４】
遊技の制御を行う主制御基板と、遊技の進行に応じた演出の制御を行う副制御基板と、当該遊技機の各装置に電力を供給する電源基板と、当該遊技機において使用されるケーブルと、前記ケーブルに取り付けられるフェライトコアケースとを備える遊技機であって、
前記フェライトコアケースは、
前記ケーブルが挿通される２分割型のフェライトコアと、
前記ケーブルを束ねて締め付けることにより、前記フェライトコアを前記ケーブルに取り付ける位置及び向きを固定する結束手段と
を備え、
前記結束手段は、バンドの外周から鍔部を介して突き出した矢じり形状の凸部を備え、
前記フェライトコアは、前記凸部が嵌め込まれる凹部において前記鍔部の回転を防止する回転防止片を備え、
前記フェライトコアにおいて前記結束手段が設けられる側と反対側が開閉し、前記結束手段に前記ケーブルが挿通される挿通方向と前記フェライトコアに前記ケーブルが挿通される挿通方向とが略平行になる
ことを特徴とする遊技機。
【請求項５】
前記フェライトコアケースは、前記電源基板に接続されるケーブルに取り付けられることを特徴とする請求項４に記載の遊技機。
【発明の詳細な説明】
【技術分野】
【０００１】
本発明は、ノイズ対策部品としてケーブルに取り付けられるフェライトコアケース、及びそれが取り付けられるパチスロやパチンコなどの遊技機に関する。
【背景技術】
【０００２】
一般に、遊技機が設置される遊技場は、静電気が帯電した遊技球、球補給機、島設備、インバータ照明などから生ずる電磁波ノイズが多く存在する。このような電磁波ノイズは、遊技機の内部に設けられた各種電気部品に誤作動を生じさせる可能性がある。
【０００３】
そこで、特許文献１に開示される遊技機では、通信ケーブルとして光通信用の光ケーブルを用いることで、所定の通信速度を維持しつつ電磁波ノイズの発生を防止し、副制御回路や主制御回路などにおける誤動作を防止するようにしている。
【先行技術文献】
【特許文献】
【０００４】
【特許文献１】特開２００９−２９７１６７号公報
【発明の概要】
【発明が解決しようとする課題】
【０００５】
しかしながら、光ケーブルは通常のケーブル（メタルケーブル）に対して高価であるため、全ての通信ケーブルに光ケーブルを使用することはコスト面から困難である。また、光ケーブルはメタルケーブルと異なり電流を流すことができないため、電源供給用に適していないという問題もある。
【０００６】
本発明は、メタルケーブルを使用した場合でも簡単な構成でノイズを適切に除去し、且つ風適法上も問題とならない遊技機を実現することが可能なフェライトコアケース及び遊技機を提供することを目的とする。
【課題を解決するための手段】
【０００７】
第１の発明は、遊技機に使用されるケーブルに取り付けられるフェライトコアケースであって、前記ケーブルが挿通される２分割型のフェライトコアと、前記ケーブルを束ねて締め付けることにより、前記フェライトコアを前記ケーブルに取り付ける位置及び向きを固定する結束手段とを備え、前記結束手段は、バンドの外周から鍔部を介して突き出した矢じり形状の凸部を備え、前記フェライトコアは、前記凸部が嵌め込まれる凹部において前記鍔部の回転を防止する回転防止片を備え、前記フェライトコアにおいて前記結束手段が設けられる側と反対側が開閉し、前記結束手段に前記ケーブルが挿通される挿通方向と前記フェライトコアに前記ケーブルが挿通される挿通方向とが略平行になる。
【０００８】
上記の構成によれば、ケーブルから発生する磁場がフェライトコアに吸収されるため、ノイズを適切に除去することができる。また、ケーブルからフェライトコアを一旦取り外した場合でも、固定手段によりフェライトコアの取り付け位置及び向きが固定されているため、ケーブルの巻き方を同一にするだけで、簡単に取り外す前の状態に戻すことが可能である。
【０００９】
第２の発明は、第１の発明において、前記固定手段は、前記ケーブルを束ねて締め付けるインシュロック構造の結束手段であってもよい。
【００１０】
上記の構成によれば、ケーブルを束ねて締め付けるという簡単な方法で、フェライトコアの取り付け位置及び向きを固定することが可能である。
【００１１】
第３の発明は、第２の発明において、前記結束手段は、バンドの外周から鍔部を介して突き出した矢じり形状の凸部を備え、前記フェライトコアは、前記凸部が嵌め込まれる凹部において前記鍔部の回転を防止する回転防止片を備えてもよい。
【００１２】
上記の構成によれば、結束手段の凸部をフェライトコアの凹部に嵌め込むと、結束手段とフェライトコアとを強固に接続することができる。すなわち、結束手段の凸部は矢じり形状であるため、フェライトコアの凹部から抜けることを防止することが可能である。また、フェライトコアの凹部に回転防止片を備えるため、結束手段の凸部がフェライトコアの凹部内で回転することを防止することが可能である。
【００１３】
第４の発明は、第３の発明において、前記結束手段に前記ケーブルが挿通される挿通方向と前記フェライトコアに前記ケーブルが挿通される挿通方向とが平行になるように、前記フェライトコアの凹部の開口形状が非対称性を持ってもよい。
【００１４】
上記の構成によれば、結束手段の凸部をフェライトコアの凹部に嵌め込む向きが制限され、正しい向きに嵌め込むと、結束手段にケーブルが挿通される挿通方向とフェライトコアにケーブルが挿通される挿通方向とが平行になる。これにより、２ターン等の巻き方で見栄えよく且つ省スペース化を図りながらケーブルを巻くことが可能である。
【００１５】
第５の発明は、第３又は４の発明において、前記フェライトコアは、一方端が開閉する２分割型のフェライトコアであって、前記一方端に対向する他方端側に前記凹部を備えてもよい。
【００１６】
上記の構成によれば、結束手段が設けられる側と反対側が開閉することになるため、２ターン等の巻き方で簡単にケーブルをフェライトコアに挿通させることが可能である。
【００１７】
第６の発明は、第１乃至５のいずれかの発明において、前記フェライトコアの端面外周は、八角形であり、前記フェライトコアの端面内周は、前記八角形のうちの相互に対向する２辺を２つ組み合わせた四角形であってもよい。
【００１８】
上記の構成によれば、フェライトコアにケーブルが挿通される挿通孔が平板状に形成されるため、平板状のケーブルにフェライトコアケースを取り付ける場合に適している。すなわち、平板状のケーブルの外形を変形させることなく、簡単にフェライトコアケースを取り付けることが可能である。また、フェライトコアの端面外周が八角形であるため、円形である場合に比べて省スペース化を図ることができる。さらに、八角形に面取りされているため、使い勝手がよいという効果もある。
【００１９】
第７の発明は、第１乃至６のいずれかの発明において、前記遊技機は、遊技の制御を行う主制御基板と、遊技の進行に応じた演出の制御を行う副制御基板と、当該遊技機の各装置に電力を供給する電源基板と、当該遊技機において使用されるケーブルとを備え、前記フェライトコアケースは、前記電源基板に接続されるケーブルに取り付けられてもよい。
【００２０】
上記の構成によれば、光ケーブルを使用することが困難な電源部分にメタルケーブルを使用した場合でも、そのケーブルから発生する磁場がフェライトコアに吸収されるため、ノイズの影響を受けることなく安定して遊技機を動作させることが可能である。
【００２１】
第４の発明は、遊技の制御を行う主制御基板と、遊技の進行に応じた演出の制御を行う副制御基板と、当該遊技機の各装置に電力を供給する電源基板と、当該遊技機において使用されるケーブルと、前記ケーブルに取り付けられるフェライトコアケースとを備える遊技機であって、前記フェライトコアケースは、前記ケーブルが挿通される２分割型のフェライトコアと、前記ケーブルを束ねて締め付けることにより、前記フェライトコアを前記ケーブルに取り付ける位置及び向きを固定する結束手段とを備え、前記結束手段は、バンドの外周から鍔部を介して突き出した矢じり形状の凸部を備え、前記フェライトコアは、前記凸部が嵌め込まれる凹部において前記鍔部の回転を防止する回転防止片を備え、前記フェライトコアにおいて前記結束手段が設けられる側と反対側が開閉し、前記結束手段に前記ケーブルが挿通される挿通方向と前記フェライトコアに前記ケーブルが挿通される挿通方向とが略平行になる。
【００２２】
上記の構成によれば、ケーブルから発生する磁場がフェライトコアに吸収されるため、ノイズを適切に除去することができる。また、ケーブルからフェライトコアを一旦取り外した場合でも、固定手段によりフェライトコアの取り付け位置及び向きが固定されているため、ケーブルの巻き方を同一にするだけで、簡単に取り外す前の状態に戻すことが可能である。
【００２３】
このようなフェライトコアケースは、規則または法律のもとで試験を受け、さらにその試験を受けた状態を維持することが義務付けられている遊技機に適用すると、特に効果的である。すなわち、保安通信協会で試験を受けた状態と同じ状態に復元することができるため、風適法上も問題とならない遊技機を提供することが可能となる。
【００２４】
第９の発明は、第８の発明において、前記フェライトコアケースは、前記電源基板に接続されるケーブルに取り付けられてもよい。
【００２５】
上記の構成によれば、光ケーブルを使用することが困難な電源部分にメタルケーブルを使用した場合でも、そのケーブルから発生する磁場がフェライトコアに吸収されるため、ノイズの影響を受けることなく安定して遊技機を動作させることが可能である。
【発明の効果】
【００２６】
本発明は、メタルケーブルを使用した場合でも簡単な構成でノイズを適切に除去し、且つ風適法上も問題とならない遊技機を実現することが可能なフェライトコアケース及び遊技機を提供することができる。
【図面の簡単な説明】
【００２７】
【図１】本発明の一実施形態における遊技機（パチスロ）の外観構成例を示す斜視図である。
【図２】本発明の一実施形態における遊技機（パチスロ）の内部構造を示す斜視図である。
【図３】本発明の一実施形態における遊技機（パチスロ）のキャビネットの内部を示す説明図である。
【図４】本発明の一実施形態における遊技機（パチスロ）のフロントドアの裏面側を示す説明図である。
【図５】本発明の一実施形態における遊技機（パチスロ）の制御系を示すブロック図である。
【図６】本発明の一実施形態におけるフェライトコアケースを示す斜視図である。
【図７】本発明の一実施形態における固定手段を示す図であって、（ａ）は上面図、（ｂ）は正面図、（ｃ）は右側面図である。
【図８】本発明の一実施形態におけるフェライトコアを示す図であって、（ａ）は上面図、（ｂ）は正面図、（ｃ）は右側面図である。
【図９】本発明の一実施形態におけるフェライトコアの凹部の開口形状を説明するための図であって、（ａ）は凹部を真上から見た場合の平面図、（ｂ）は（ａ）を９０°回転させた場合の平面図、（ｃ）はケーブルが挿通される挿通方向を示す斜視図である。
【図１０】本発明の一実施形態におけるフェライトコアを示す斜視図であって、（ａ）は閉じた状態を示す図、（ｂ）は開いた状態を示す図である。
【図１１】本発明の一実施形態におけるフェライトコアケースをケーブルに取り付ける手順を示す図であって、（ａ）は取り付け前の状態を示す図、（ｂ）は結束手段を取り付けた状態を示す図、（ｃ）はフェライトコアを取り付けた状態を示す図、（ｄ）はケーブルを挿通させた状態を示す図である。
【図１２】本発明の他の実施形態における固定手段をケーブルに取り付けた状態示す図であって、（ａ）は上面図、（ｂ）は断面図である。
【図１３】本発明の他の実施形態におけるフェライトコアを示す斜視図であって、（ａ）は閉じた状態を示す図、（ｂ）は開いた状態を示す図である。
【図１４】本発明の他の実施形態におけるフェライトコアケースを示す図であって、（ａ）は上面図、（ｂ）は正面図、（ｃ）は右側面図である。
【図１５】図１４に示されるフェライトコアケースをケーブルに取り付ける手順を示す図であって、（ａ）は取り付け前の状態を示す図、（ｂ）はフェライトコアケースを取り付けた状態を示す図、（ｃ）はケーブルを挿通させた状態を示す図である。
【図１６】本発明の一実施形態における遊技機（パチンコ）の制御回路（主として主制御回路）を示すブロック図である。
【図１７】本発明の一実施形態における遊技機（パチンコ）の制御回路（主として副制御回路）を示すブロック図である。
【発明を実施するための形態】
【００２８】
以下、本発明の一実施形態におけるフェライトコアケース及び遊技機について、図面を参照しながら説明する。
【００２９】
＜パチスロの構造＞
まず、図１〜図４を参照して、一実施形態におけるパチスロ１の構造について説明する。
【００３０】
［外観構造］
図１は、パチスロ１の外部構造を示す斜視図である。
【００３１】
パチスロ１の外装体２は、リールや回路基板等を収容するキャビネット２ａと、キャビネット２ａに対して開閉可能に取り付けられるフロントドア２ｂとを有している。
【００３２】
キャビネット２ａの両側面には、把手７が設けられている。この把手７は、パチスロ１を運搬するときに手をかける凹部である。
【００３３】
キャビネット２ａの内部には、３つのリール３Ｌ，３Ｃ，３Ｒが横並びに設けられている。以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。シート材の表面には、複数（例えば２１個）の図柄が周方向に沿って所定の間隔をあけて描かれている。
【００３４】
フロントドア２ｂの中央には、液晶表示装置１０が設けられている。この液晶表示装置１０は、図柄表示領域４Ｌ，４Ｃ，４Ｒを含む表示画面を備え、正面から見て３つのリール３Ｌ，３Ｃ，３Ｒに重畳する手前側に位置するように設けられている。本実施の形態では、図柄表示領域４Ｌ，４Ｃ，４Ｒを含めた表示画面の全体を使って、映像の表示が行われ、演出が実行される。
【００３５】
図柄表示領域４Ｌ，４Ｃ，４Ｒは、３つのリール３Ｌ，３Ｃ，３Ｒのそれぞれに対応して設けられている。この図柄表示領域４Ｌ，４Ｃ，４Ｒは、表示窓としての機能を果たすものであり、その背後に設けられた各リール３Ｌ，３Ｃ，３Ｒを透過することが可能な構成になっている。以下、図柄表示領域４Ｌ，４Ｃ，４Ｒを、それぞれ左表示窓４Ｌ、中表示窓４Ｃ、右表示窓４Ｒという。
【００３６】
表示窓４Ｌ，４Ｃ，４Ｒは、その背後に設けられたリール３Ｌ，３Ｃ，３Ｒの回転が停止されたとき、各リール３Ｌ，３Ｃ，３Ｒの複数種類の図柄のうち、その枠内における上段、中段及び下段の各領域にそれぞれ１個の図柄（合計で３個）を表示する。各表示窓４Ｌ，４Ｃ，４Ｒが有する上段、中段及び下段からなる３つの領域のうち予め定められたいずれかをそれぞれ組合せてなる擬似的なラインを、入賞か否かの判定を行う対象となるライン（入賞判定ライン）として定義する。
【００３７】
本実施の形態では、入賞判定ラインとしてセンタライン８が設けられている。センタライン８は、左表示窓４Lの中段、中表示窓４Ｃの中段及び右表示窓４Ｒの中段の組合せからなる。
【００３８】
液晶表示装置１０の表示画面の側方には、７セグメントＬＥＤ（Light Emitting Diode）からなる７セグ表示器６が設けられている。この７セグ表示器６は、特典として遊技者に対して払い出すメダルの枚数（以下、払出枚数）、パチスロ内部に預けられているメダルの枚数（以下、クレジット枚数）等の情報をデジタル表示する。
【００３９】
フロントドア２ｂには、遊技者による操作の対象となる各種装置が設けられている。メダル投入口１１は、遊技者によって外部から投下されるメダルを受け入れるために設けられる。メダル投入口１１に受け入れられたメダルは、予め定められた規定数を上限として１回の遊技に投入されることとなり、規定数を超えた分はパチスロ１の内部に預けることが可能となる（いわゆるクレジット機能）。
【００４０】
ＢＥＴボタン１２は、パチスロ１の内部に預けられているメダルから１回の遊技に投入する枚数を決定するために設けられる。精算ボタン１４は、パチスロ１の内部に預けられているメダルを外部に引き出すために設けられる。
【００４１】
スタートレバー１６は、全てのリール（３Ｌ，３Ｃ，３Ｒ）の回転を開始するために設けられる。ストップボタン１７Ｌ，１７Ｃ，１７Ｒは、３つのリール３Ｌ，３Ｃ，３Ｒのそれぞれに対応づけられ、対応するリールの回転を停止するために設けられる。以下、ストップボタン１７Ｌ，１７Ｃ，１７Ｒを、それぞれ左ストップボタン１７Ｌ、中ストップボタン１７Ｃ、右ストップボタン１７Ｒという。
【００４２】
メダル払出口１８は、後述のメダル払出装置３４の駆動により排出されるメダルを外部に導く。メダル払出口１８から排出されたメダルは、メダル受皿１９に貯められる。ランプ（ＬＥＤ等）２０は、演出内容に応じた点消灯のパターンにて光を出力する。スピーカ用孔２１Ｌ，２１Ｒ，２２Ｌ，２２Ｒは、演出内容に応じた効果音や楽曲等の音を出力するために設けられている。
【００４３】
［内部構造］
図２は、パチスロ１の内部構造を示す斜視図である。この図２では、フロントドア２ｂが開放され、フロントドア２ｂの裏面側の構造及びキャビネット２ａの内部の構造が示されている。図３は、キャビネット２ａの内部を示す説明図である。図４は、フロントドア２ｂの裏面側を示す説明図である。
【００４４】
図３に示すように、キャビネット２ａ内部の上側には、主制御回路を構成する主制御基板３１が配設されている。主制御回路は、内部当籤役の決定、リール３Ｌ，３Ｃ，３Ｒの回転及び停止、入賞の有無の判定といった、パチスロ１における遊技の主な流れを制御する回路である。
【００４５】
キャビネット２ａの内部の中央には、３つのリール３Ｌ，３Ｃ，３Ｒが設けられている。なお、図３では、各リール３Ｌ，３Ｃ，３Ｒからシート材を取り除いてリール本体を露出させた状態を示している。３つのリール３Ｌ，３Ｃ，３Ｒには、所定の減速比をもったギアを介してステッピングモータが接続されている。
【００４６】
キャビネット２ａ内部を正面から見て、右リール３Ｒの右側には、設定用鍵型スイッチ３２と、外部集中端子板３３が配設されている。設定用鍵型スイッチ３２は、パチスロ１の設定を変更もしくは確認を行うときに使用する。
【００４７】
外部集中端子板３３は、キャビネット２ａの側板に取り付けられている。この外部集中端子板３３は、メダル投入信号、メダル払出信号及びセキュリティー信号などの信号をパチスロ１の外部へ出力するために設けられている。
【００４８】
キャビネット２ａの内部の下方には、多量のメダルを収容可能で、それらを１枚ずつ排出可能な構造を有するメダル払出装置（以下、ホッパー装置）３４が設けられている。このホッパー装置３４は、貯留されたメダルが例えば５０枚を超えたとき、又は精算ボタンが押圧されてメダルの精算を行うときに、メダルを払い出す。ホッパー装置３４によって払い出されたメダルは、メダル払出口１８（図１参照）から排出される。
【００４９】
キャビネット２ａ内部を正面から見て、ホッパー装置３４の右側には、ホッパー装置３４から溢れ出たメダルを収納するメダル補助庫３５が配設されている。また、キャビネット２ａ内部を正面から見て、ホッパー装置３４の左側には、パチスロ１が有する各装置に対して必要な電力を供給するための電源装置３６が設けられている。この電源装置３６は、電源スイッチ３６ａと、電源基板３６ｂ（図５参照）を有している。
【００５０】
また、ホッパー装置３４と３つのリール３Ｌ，３Ｃ，３Ｒとの間には、サブスピーカ３７が配設されている。
【００５１】
図２及び図４に示すように、フロントドア２ｂの裏面における上側には、副制御基板４１（図５参照）を収容する副制御基板ケース４２が配設されている。副制御基板４１は、副制御基板ケース４２を介してキャビネット２ａの内部の主制御基板３１に対向している。そして、副制御基板４１は、副制御回路を構成する。副制御回路は、映像の表示等による演出の実行を制御する回路である。
【００５２】
フロントドア２ｂを裏面側から見て、副制御基板ケース４２の右側方には、副中継基板４３が配設されている。この副中継基板４３は、副制御基板４１と、この副制御基板４１の周辺に配設された基板との配線を中継する基板である。なお、副制御基板４１の周辺に配設される基板としては、後述するＬＥＤ基板４５Ａ，４５Ｂ，４５ＣやサウンドＩ／Ｏ基板４６が挙げられる。
【００５３】
ＬＥＤ基板４５Ａは、フロントドア２ｂの裏面側から見て、副制御基板ケース４２の上方に配設されている。また、ＬＥＤ基板４５Ｂは、フロントドア２ｂの裏面側から見て、副中継基板４３の右側方に配設されており、ＬＥＤ基板４５Ｃは、副中継基板４３の右側方に配設されている。これらＬＥＤ基板４５Ａ，４５Ｂ，４５Ｃは、副制御回路の制御により実行される演出に応じて、点滅パターンを表示する。
【００５４】
サウンドＩ／Ｏ基板４６は、フロントドア２ｂの裏面における中央（表示窓４Ｌ，４Ｃ，４Ｒの下側）に配設されている。このサウンドＩ／Ｏ基板４６は、後述するスピーカ４８Ｌ，４８Ｒ，４９Ｌ，４９Ｒへの音声の出力を行う。
【００５５】
サウンドＩ／Ｏ基板４６の下側には、遊技動作表示基板４７が配設されている。この遊技動作表示基板４７は、メダルの投入を受け付けるとき、３つのリール３Ｌ，３Ｃ，３Ｒが回動可能なとき及び再遊技を行うときに、投入されたメダルの枚数を７セグ表示器６に表示させるための基板である。
【００５６】
サウンドＩ／Ｏ基板４６及び遊技動作表示基板４７の左側及び右側には、上部スピーカ４８Ｌ，４８Ｒが配設されている。そして、フロントドア２ｂの裏面における下側には、下部スピーカ４９Ｌ，４９Ｒが配設されている。上部スピーカ４８Ｌ，４８Ｒは、それぞれスピーカ用孔２１Ｌ，２１Ｒに対向しており、下部スピーカ４９Ｌ，４９Ｒは、それぞれスピーカ用孔２２Ｌ，２２Ｒに対向している。
【００５７】
上部スピーカ４８Ｒと下部スピーカ４９Ｒとの間には、セレクタ５１と、ドア開閉監視スイッチ５２が配設されている。セレクタ５１は、メダルの材質や形状等が適正であるか否かを選別する装置であり、メダル投入口１１に受け入れられた適正なメダルをホッパー装置３４へ案内する。セレクタ５１内においてメダルが通過する経路上には、適正なメダルが通過したことを検出するメダルセンサ（不図示）が設けられている。
【００５８】
ドア開閉監視スイッチ５２は、フロントドア２ｂを裏面側から見て、セレクタ５１の左側に配置されている。このドア開閉監視スイッチ５２は、パチスロ１の外部へ、フロントドア２ｂの開閉を報知するためのセキュリティー信号を出力する。
【００５９】
フロントドア２ｂを裏面側から見て、セレクタ５１の右側には、ドア中継基板５３が配設されている。このドア中継基板５３は、主制御基板３１（図３参照）と、各種のボタンやスイッチ、副制御基板４１（図５参照）、遊技動作表示基板４７及びセレクタ５１との配線を中継する基板である。なお、各種のボタン及びスイッチとしては、例えば、ＢＥＴボタン１２、精算ボタン１４、ドア開閉監視スイッチ５２、後述するＢＥＴスイッチ５５及びスタートスイッチ５７等を挙げることができる。
【００６０】
ドア中継基板５３の下側には、２４ｈドア開閉監視ユニット５４が配設されている。この２４ｈドア開閉監視ユニット５４は、フロントドア２ｂの開閉の履歴を保存する。また、フロントドア２ｂを開放したとき、又はセレクタ５１を取り外したときに、液晶表示装置１０にエラー表示を行うための信号を副制御基板４１（副制御回路）に出力する。
【００６１】
＜パチスロが備える制御系＞
次に、パチスロ１が備える制御系について、図５を参照して説明する。
【００６２】
図５は、パチスロ１の制御系を示すブロック図である。
【００６３】
パチスロ１は、キャビネット２ａに配設された主制御基板３１と、フロントドア２ｂに配設された副制御基板４１を有している。上述したように、主制御基板３１は、遊技の制御を行うための基板であり、副制御基板４１は、遊技の進行に応じた演出の制御を行うための基板である。
【００６４】
主制御基板３１には、設定用鍵型スイッチ３２と、外部集中端子板３３と、ホッパー装置３４と、リール中継端子板３８と、電源装置３６の電源基板３６ｂと、メダル補助庫スイッチ３９が接続されている。設定用鍵型スイッチ３２、外部集中端子板３３及びホッパー装置３４については、上述したため、説明を省略する。
【００６５】
電源装置３６の電源基板３６ｂには、電源スイッチ３６ａと電源プラグ３６ｃが接続されている。電源プラグ３６ｃと、この電源プラグ３６ｃと電源基板３６ｂを接続するコードは、キャビネット２ａの背面部に設けられた貫通孔（不図示）から引き出される。そして、電源プラグ３６ｃは、パチスロ１の外部に設けられた電源コンセントの差し込み口に差し込まれる。以下の説明では、電源基板３６ｂとその周辺各部（電源スイッチ３６ａ，主制御基板３１，電源プラグ３６ｃ，副中継基板４３）とを接続するケーブルやコードをそれぞれケーブルＣ１，Ｃ２，Ｃ３，Ｃ４という。
【００６６】
リール中継端子板３８は、各リール３Ｌ，３Ｃ，３Ｒのリール本体の内側に配設されている。このリール中継端子板３８は、各リール３Ｌ，３Ｃ，３Ｒのステッピングモータ（不図示）に電気的に接続されており、主制御基板３１からステッピングモータに出力される信号を中継する。
【００６７】
メダル補助庫スイッチ３９は、メダル補助庫３５に設けられている。このメダル補助庫スイッチ３９は、メダル補助庫３５がメダルで満杯になっているか否かを検出する。
【００６８】
また、主制御基板３１には、ドア中継基板５３を介して、セレクタ５１、ドア開閉監視スイッチ５２、遊技動作表示基板４７、ＢＥＴスイッチ５５、精算スイッチ５６、スタートスイッチ５７、ストップスイッチ基板５８及び副中継基板４３が接続されている。セレクタ５１、ドア開閉監視スイッチ５２及び遊技動作表示基板４７については、上述したため、説明を省略する。
【００６９】
ＢＥＴスイッチ５５は、ＢＥＴボタン１２が遊技者により押されたことを検出する。精算スイッチ５６は、精算ボタン１４が遊技者により押されたことを検出する。スタートスイッチ５７は、スタートレバー１６が遊技者により操作されたこと（開始操作）を検出する。
【００７０】
ストップスイッチ基板５８は、回転しているリールを停止させるための回路と、停止可能なリールをＬＥＤなどにより表示するための回路を構成する基板である。このストップスイッチ基板５８には、ストップスイッチが設けられている。このストップスイッチは、各ストップボタン１７Ｌ，１７Ｃ，１７Ｒが遊技者により押されたこと（停止操作）を検出する。
【００７１】
遊技動作表示基板４７には、７セグ表示器６とＬＥＤ５９が接続されている。ＬＥＤ５９は、例えば、遊技の開始を表示するマークや再遊技を行うマークなどを点灯させる。
【００７２】
副制御基板４１は、ドア中継基板５３と副中継基板４３を介して主制御基板３１に接続されている。この副制御基板４１には、副中継基板４３を介して、ＬＥＤ基板４５Ａ，４５Ｂ，４５Ｃ、サウンドＩ／Ｏ基板４６、２４ｈドア開閉監視ユニット５４が接続されている。これらＬＥＤ基板４５Ａ，４５Ｂ，４５Ｃ、サウンドＩ／Ｏ基板４６及び２４ｈドア開閉監視ユニット５４については、上述したため、説明を省略する。
【００７３】
また、副制御基板４１には、ロムカートリッジ基板６１と、液晶中継基板６２が接続されている。これらロムカートリッジ基板６１及び液晶中継基板６２は、副制御基板４１と共に副制御基板ケース４２に収容されている。
【００７４】
ロムカートリッジ基板６１は、演出用の画像（映像）、音声、ＬＥＤ基板４５Ａ，４５Ｂ，４５Ｃ及び通信のデータを管理するための基板である。液晶中継基板６２は、副制御基板４１と液晶表示装置１０との配線を中継する基板である。
【００７５】
＜ノイズ対策＞
一般に、ノイズ対策部品としてフェライトコアが知られているが、パチスロやパチンコなどの遊技機でフェライトコアを採用する場合は、風適法上の問題が生じないようにする必要がある。すなわち、パチスロやパチンコなどの遊技機は、常に保安通信協会で試験を受けた状態と同じ状態に復元しなければならないという業界特有の問題がある。
【００７６】
一方、通信ケーブルとして光ケーブルを使用すればノイズの影響を受けずに済むが、光ケーブルはメタルケーブルに対して高価であるため、全ての通信ケーブルに光ケーブルを使用することはコスト面から困難である。また、光ケーブルはメタルケーブルと異なり電流を流すことができないため、電源供給用に適していないという問題もある。
【００７７】
そこで、本発明の一実施形態におけるパチスロ１では、メタルケーブルにフェライトコアを取り付けることでノイズ対策を行う。例えば、図５に示すように、電源装置３６の電源基板３６ｂに接続されるケーブルＣ１，Ｃ２，Ｃ３，Ｃ４には、電源供給面から光ケーブルを使用することが困難であるため、メタルケーブルを使用してフェライトコアを取り付けるようにしている。
【００７８】
＜フェライトコアケース＞
以下、本発明の一実施形態におけるフェライトコアケース１００について説明する。
【００７９】
［全体構成］
図６は、本発明の一実施形態におけるフェライトコアケース１００を示す斜視図である。このフェライトコアケース１００は、パチスロ１などの遊技機に使用されるケーブル１３０に取り付けられるフェライトコアケース１００であって、図６に示すように、ケーブル１３０が挿通されるフェライトコア１１０と、フェライトコア１１０をケーブル１３０に取り付ける位置及び向きを固定する固定手段１２０とを備える。すなわち、フェライトコアケース１００は、フェライトコア１１０とその固定手段１２０とからなる。ケーブル１３０は、ノイズ対策が必要な各種のケーブルであり、例えば、電源装置３６の電源基板３６ｂに接続されるケーブルＣ１，Ｃ２，Ｃ３，Ｃ４などである。
【００８０】
このような構成によれば、ケーブル１３０から発生する磁場がフェライトコア１１０に吸収されるため、ノイズを適切に除去することができる。また、ケーブル１３０からフェライトコア１１０を一旦取り外した場合でも、固定手段１２０によりフェライトコア１１０の取り付け位置及び向きが固定されているため、ケーブル１３０の巻き方を同一にするだけで、簡単に取り外す前の状態に戻すことが可能である。
【００８１】
［結束手段］
図７は、本発明の一実施形態における固定手段１２０を示す図であって、（ａ）は上面図、（ｂ）は正面図、（ｃ）は右側面図である。この図に示すように、固定手段１２０としては、ケーブル１３０を束ねて締め付けるインシュロック（登録商標）構造をもったハーネスアクセサリなどの結束手段１２０を採用することができる。このような結束手段１２０によれば、ケーブル１３０を束ねて締め付けるという簡単な方法で、フェライトコア１１０の取り付け位置及び向きを固定することが可能である。
【００８２】
具体的には、図７に示すように、側面視でＣ字状に湾曲するバンド１２１によりケーブル１３０を束ね、ケーブル１３０の軸方向に動かない程度の結束力をもってバンド止め１２４により締め付ける。バンド１２１の外周の一端（下端）から鍔部１２２を介して矢じり形状の凸部１２３が突き出している。これら各部の形成方法は特に限定されるものではないが、例えば、弾性を有する熱可塑性樹脂を成形加工することにより一体的に形成することが可能である。
【００８３】
［フェライトコア］
図８は、本発明の一実施形態におけるフェライトコア１１０を示す図であって、（ａ）は上面図、（ｂ）は正面図、（ｃ）は右側面図である。この図に示すように、フェライトコア１１０は、フェライトで作られた円筒状の部材であり、ケーブル１３０が挿通される円柱状の挿通孔１１４を備える。フェライトコア１１０の所定位置（後述する）には凹部１１２が形成され、この凹部１１２の底の中央部分には嵌込穴１１２ａが形成されている。結束手段１２０の凸部１２３が凹部１１２に嵌め込まれ、嵌込穴１１２ａを突き抜けると、凸部１２３の矢じりが外側に開いて逆行が防止される。凹部１１２の開口形状は、結束手段１２０の鍔部１２２に合わせて上面視で十字形状に形成され、凹部１１２の開口内側に突き出した４つの回転防止片１１３により鍔部１２２の回転が防止される構造になっている。
【００８４】
このように、結束手段１２０の凸部１２３をフェライトコア１１０の凹部１１２に嵌め込むと、結束手段１２０とフェライトコア１１０とを強固に接続することができる。すなわち、結束手段１２０の凸部１２３は矢じり形状であるため、フェライトコア１１０の凹部１１２から抜けることを防止することが可能である。また、フェライトコア１１０の凹部１１２に回転防止片１１３を備えるため、結束手段１２０の凸部１２３がフェライトコア１１０の凹部１１２内で回転することを防止することが可能である。
【００８５】
図９は、本発明の一実施形態におけるフェライトコア１１０の凹部１１２の開口形状を説明するための図である。凹部１１２を真上から見ると、図９（ａ）に示すように横長の十字形状であるが、９０°回転させると、図９（ｂ）に示すように縦長の十字形状になる。すなわち、凹部１１２の開口形状は、９０°回転させた場合に異なる形状となる（非対称性を持つ）。
【００８６】
このような構成によれば、結束手段１２０の凸部１２３をフェライトコア１１０の凹部１１２に嵌め込む向きが制限される。すなわち、凸部１２３を誤った向きで嵌め込もうとしても、凹部１１２の開口形状との関係で凸部１２３を凹部１１２の底まで嵌め込むことができない。凸部１２３を正しい向きに嵌め込むと、凹部１１２の底に形成された嵌込穴１１２ａを突き抜けて矢じりが外側に開き、図９（ｃ）に示すように、結束手段１２０にケーブル１３０が挿通される挿通方向Ｄ１とフェライトコア１１０にケーブル１３０が挿通される挿通方向Ｄ２とが平行になる。ここでいう「平行」が誤差を含んでいてもよいことはもちろんである。
【００８７】
このように、挿通方向Ｄ１とＤ２とが平行になれば、２ターン等の巻き方で見栄えよく且つ省スペース化を図りながらケーブル１３０を巻くことが可能である。また、保安通信協会で試験を受けた状態と同じ状態の遊技機を量産する際、ケーブル１３０の巻き方を間違えることを防止する効果もある。
【００８８】
図１０は、本発明の一実施形態におけるフェライトコア１１０を示す斜視図であって、（ａ）は閉じた状態を示す図、（ｂ）は開いた状態を示す図である。この図に示すように、フェライトコア１１０は、一方端（下端）が開閉する２分割型のフェライトコアであって、一方端（下端）に対向する他方端（上端）側に凹部１１２を備える。
【００８９】
具体的には、ケーブル１３０が挿通される挿通方向Ｄ２に２分割された半円筒状の第１の本体１１１ａと第２の本体１１１ｂとを備え、その外側をカバー部材１１１ｃで覆っている。カバー部材１１１ｃは、弾性を有する樹脂などで形成することができる。第１の本体１１１ａと第２の本体１１１ｂの下端において外向きに引き離す力を加えると、上部側に支軸されて回動して下端が開く。力を加えなければ、カバー部材１１１ｃの弾性力により下端が閉じるようになっている。このような構成によれば、結束手段１２０が設けられる側と反対側が開閉することになるため、２ターン等の巻き方で簡単にケーブル１３０をフェライトコア１１０に挿通させることができる。
【００９０】
［取り付け手順］
図１１は、本発明の一実施形態におけるフェライトコアケース１００をケーブル１３０に取り付ける手順を示す図である。ここでは、図１１（ａ）に示すように、ケーブル１３０として、両端にコネクタ１３１、１３２を備えたワイヤーハーネスを例示している。すなわち、遊技盤の裏側には、制御基板などの各種電気部品が設けられている。これらの電気部品は、複数の電気配線を束ねた電気配線束により電気的に接続されている。この電気配線束の両端には、電気部品と電気配線束とを接合するコネクタが設けられている。この電気配線束とコネクタとを一体化した部品を一般に「ワイヤーハーネス」と呼んでいる。
【００９１】
まず、図１１（ｂ）に示すように、インシュロック構造をもった結束手段１２０をケーブル１３０に取り付けて位置決めをしておく。次いで、図１１（ｃ）に示すように、結束手段１２０の凸部１２３をフェライトコア１１０の凹部１１２に嵌め込む。図１１（ｂ）と図１１（ｃ）の順番を入れ替えることも可能である。
【００９２】
あとは、保安通信協会で試験を受けた状態と同じ状態となるように、フェライトコア１１０にケーブル１３０を挿通させてセッティングする。例えば、フェライトコア１１０の下端を開いた状態でケーブル１３０をターンさせ、フェライトコア１１０にケーブル１３０を通した状態でフェライトコア１１０の下端を閉じる。これにより、図１１（ｄ）に示すように、ケーブル１３０を２ターンで簡単にフェライトコア１１０に挿通させることが可能である。
【００９３】
その後、ケーブル１３０に異常がないことを確認するために、ケーブル１３０からフェライトコア１１０を一旦取り外す必要が生じたものと仮定する。このような場合、従来のフェライトコアのケースは特に位置決めのための構造を備えていないため、ジグなしでフェライトコアを元の状態に戻すことが非常に困難であった。
【００９４】
この点、本発明の一実施形態におけるフェライトコアケース１００によれば、結束手段１２０によりフェライトコア１１０の取り付け位置及び向きが固定されているため、ケーブル１３０の巻き方を同一にするだけで、簡単に取り外す前の状態に戻すことが可能である。すなわち、図１１（ｄ）に示すように、ケーブル１３０を２ターンでフェライトコア１１０に取り付けた場合でも、フェライトコア１１０の下端を開いてケーブル１３０を解くと、図１１（ｃ）に示すように、フェライトコア１１０の内部に隠れていた部分を外部から視認することができる。これにより、ケーブル１３０に異常がないことを確認することができたときは、図１１（ｄ）に示すように、再びケーブル１３０を２ターンでフェライトコア１１０に挿通させればよい。
【００９５】
このようなフェライトコアケース１００は、規則または法律のもとで試験を受け、さらにその試験を受けた状態を維持することが義務付けられている遊技機に適用すると、特に効果的である。すなわち、保安通信協会で試験を受けた状態と同じ状態に復元することができるため、風適法上も問題とならない遊技機を提供することが可能となる。
【００９６】
なお、ここでは、ケーブル１３０の巻き方として２ターンを例示しているが、その他の巻き方（３ターン等）を採用してもよい。すなわち、フェライトコア１１０をケーブル１３０に取り付ける位置及び向きを固定手段１２０により固定することができる以上、ケーブル１３０の巻き方にかかわらず、同様の効果を得ることが可能である。
【００９７】
［固定手段の変形例］
図１２は、本発明の他の実施形態における固定手段１２０をケーブル１３０に取り付けた状態示す図であって、（ａ）は上面図、（ｂ）は断面図である。この図に示すように、固定手段１２０は、弾性を有する樹脂などで形成されたバンド通し１２０であってもよい。この例では、上面の一部分１２５が長手方向に開放されたバンド通し１２０に平板状のケーブル１３０を挿通させている。ケーブル１３０の軸方向に動かない程度の弾性力をもってバンド通し１２０がケーブル１３０を挟み込む構造であれば、フェライトコア１１０をケーブル１３０に取り付ける位置及び向きを固定することができる。
【００９８】
もちろん、固定手段１２０の変形例はこれに限定されるものではない。例えば、フェライトコア１１０が軸方向に動かないようにするための係止溝をケーブル１３０の外装側に形成する等、種々の変形が可能である。
【００９９】
［フェライトコアの変形例］
図１３は、本発明の他の実施形態におけるフェライトコア１１０を示す斜視図であって、（ａ）は閉じた状態を示す図、（ｂ）は開いた状態を示す図である。この図に示すように、フェライトコア１１０の端面外周は、縦長の八角形であり、フェライトコア１１０の端面内周は、八角形のうちの相互に対向する２辺を２つ組み合わせた四角形であってもよい。縦長の八角形の短辺側（上部側）に凹部１１２が形成されている。その他の点は、基本的に円筒状のフェライトコア１１０と同様である（図１０参照）。
【０１００】
このような構成によれば、挿通孔１１４が平板状に形成されるため、平板状のケーブル１３０にフェライトコアケース１００を取り付ける場合に適している。すなわち、平板状のケーブル１３０の外形を変形させることなく、簡単にフェライトコアケース１００を取り付けることが可能である。また、フェライトコア１１０の端面外周が八角形であるため、円形である場合に比べて省スペース化を図ることができる。さらに、八角形に面取りされているため、使い勝手がよいという効果もある。
【０１０１】
［フェライトコアケースの変形例］
図１４は、本発明の他の実施形態におけるフェライトコアケース１００を示す図であって、（ａ）は上面図、（ｂ）は正面図、（ｃ）は右側面図である。この図に示すように、フェライトコア１１０と結束手段１２０とを一体に形成してもよい。この場合、フェライトコア１１０と結束手段１２０とを接続する構造が限定されないため、凸部１２３や凹部１１２、鍔部１２２などを必ずしも形成する必要がなく、設計自由度が高まる。
【０１０２】
［取り付け手順の変形例］
図１５は、図１４に示されるフェライトコアケース１００をケーブルに取り付ける手順を示す図である。まず、図１５（ａ）（ｂ）に示すように、フェライトコア１１０と一体に形成された結束手段１２０をケーブル１３０に取り付ける。次いで、フェライトコア１１０の下端を開いた状態でケーブル１３０をターンさせ、フェライトコア１１０にケーブル１３０を通した状態でフェライトコア１１０の下端を閉じる。これにより、図１５（ｃ）に示すように、ケーブル１３０を２ターンで簡単にフェライトコア１１０に挿通させることが可能である。その後、ケーブル１３０に異常がないことを確認するための手順は、先の例と同様である（図１１参照）。
【０１０３】
既に説明した通り、フェライトコア１１０と結束手段１２０とを一体に形成した場合は、フェライトコア１１０と結束手段１２０との接続構造が限定されないため、設計自由度が高まるという利点がある。一方、フェライトコア１１０と結束手段１２０とを別体に形成した場合は、予め結束手段１２０だけをケーブル１３０に取り付けて位置決めしておくことができるため、遊技機の組み立て工程を簡略化できるという利点がある。状況に応じて使い勝手のよい方を選択すればよい。
【０１０４】
＜パチンコへの適用例＞
次に、図１６及び図１７を参照しながら、本発明の一実施形態におけるフェライトコアケース１００をパチンコ１ａに適用した場合について説明する。
【０１０５】
図１６及び図１７に示すように、パチンコ１ａは、遊技の制御を行う主制御回路２１０と、遊技の進行に応じた演出の制御を行う副制御回路２２０と、を備えている。主制御回路２１０は主制御基板に配設され、副制御回路２２０は副制御基板に配設されている。
【０１０６】
図１６に示すように、主制御回路２１０は、メインＣＰＵ２１１、メインＲＯＭ２１２（読み出し専用メモリ）、メインＲＡＭ２１３（読み書き可能メモリ）、初期リセット回路２１４、シリアル通信用ＩＣ２１５、及びリセット用クロックパルス発生回路２１６を備えているとともに、各種の装置や各種のスイッチと接続されている。
【０１０７】
メインＣＰＵ２１１は、メインＲＯＭ２１２及びメインＲＡＭ２１３と接続されており、メインＲＯＭ２１２に記憶されたプログラムに従って、各種の処理を実行する機能を有する。
【０１０８】
メインＲＯＭ２１２は、メインＣＰＵ２１１によりパチンコ１ａの動作を制御するためのプログラムの他、各種のテーブルが記憶されている。
【０１０９】
メインＲＡＭ２１３は、メインＣＰＵ２１１の一時記憶領域として、種々のフラグ及び変数の値を記憶する機能を有する。メインＣＰＵ２１１の一時記憶領域としては、メインＲＡＭ２１３に代えて、他の読み書き可能な記憶媒体を用いることもできる。
【０１１０】
初期リセット回路２１４は、電源投入時においてリセット信号を生成するものであり、メインＣＰＵ２１１に接続されている。
【０１１１】
シリアル通信用ＩＣ２１５は、メインＣＰＵ２１１からのコマンドを副制御回路２２０に送信するものであり、メインＣＰＵ２１１に接続されている。
【０１１２】
リセット用クロックパルス発生回路２１６は、システムタイマ割込処理を実行するために、所定の周期（例えば２ｍｓｅｃ）毎にクロックパルスを発生するためのものであり、メインＣＰＵ２１１に接続されている。
【０１１３】
主制御回路２１０に接続される各種の装置としては、図柄表示装置２３０の他、センサ類、ソレノイド類、及びバックアップクリアスイッチ２５０が含まれる。
【０１１４】
図柄表示装置２３０は、普通図柄ゲームにおける普通図柄の可変表示を行う普通図柄表示装置２３１、普通図柄保留表示装置２３２、特別図柄ゲームにおける特別図柄の可変表示を行う第１特別図柄表示装置２３３及び第２特別図柄表示装置２３４、第１特別図柄保留表示装置２３５、第２特別図柄保留表示装置２３６、第１特別図柄変動中表示ランプ２３７、及び第２特別図柄変動中表示ランプ２３８を含んでいる。
【０１１５】
図１６に示すセンサ類は、第１カウントセンサ２４０、第２カウントセンサ２４１、一般入賞口入球センサ２４２、通過球センサ２４３、第１始動口入球センサ２４４、及び第２始動口入球センサ２４５を含んでいる。第１カウントセンサ２４０及び第２カウントセンサ２４１は、第１及び第２大入賞口の所定領域を遊技球が通過した場合に、所定の検知信号を主制御回路２１０に供給するものである。一般入賞口入球センサ２４２は、一般入賞口に遊技球が入賞した場合に、所定の検知信号を主制御回路２１０に供給するものである。通過球センサ２４３は、通過ゲートを遊技球が通過した場合に、所定の検知信号を主制御回路２１０に供給するものである。第１始動口入球センサ２４４及び第２始動口入球センサ２４５は、第１及び第２始動口に遊技球が入賞した場合に、所定の検知信号を主制御回路２１０に供給するものである。
【０１１６】
ソレノイド類は、普通電動役物ソレノイド２４６、第１大入賞口ソレノイド２４７、及び第２大入賞口ソレノイド２４８を含んでいる。普通電動役物ソレノイド２４６は、第２始動口への遊技球の入賞を許容するために、普通電動役物としての一対の羽根部材を駆動させるためのものである。第１大入賞口ソレノイド２４７は、第１大入賞口を開放するために、第１シャッタを駆動させるためのものである。第２大入賞口ソレノイド２４８は、第２大入賞口を開放するために、第２シャッタを駆動させるためのものである。
【０１１７】
バッククリアスイッチ２５０は、電断時等におけるバックアップデータを遊技場の管理者の操作に応じてクリアするものである。
【０１１８】
主制御回路２１０にはさらに、払出・発射制御回路２５１が接続されている。払出・発射制御回路２５１は、払出装置２５２及び発射装置２５３と接続されており、これらの払出装置２５２及び発射装置２５３を制御する。払出・発射制御回路２５１にはさらに、カードユニット２５４が接続されている。カードユニット２５４は、遊技者の操作によって、カードユニット２５４に遊技球の貸し出しを要求する信号を出力する貸し出し用操作部２５５との間で送受信可能である。払出・発射制御回路２５１は、主制御回路２１０から供給される賞球制御コマンド、カードユニット２５４から供給される貸し球制御信号を受け取り、払出装置２５２に対して所定の信号を送信することにより、払出装置２５２に遊技球を払い出させる。払出・発射制御回路２５１はさらに、発射装置２５３の発射ハンドルが遊技者によって握持され、かつ、時計回り方向へ回動操作されたときには、その回動角度に応じて発射ソレノイドに電力を供給し、遊技球を発射させる制御を行う。
【０１１９】
図１７に示したように、副制御回路２２０は、コマンド入力ポート（図示略）を介して主制御回路２１０に接続されており、主制御回路２１０からコマンドが供給されるように構成されている。この副制御回路２２０は、主制御回路２１０から供給される各種のコマンドに応じて、各種の制御を行うものであり、サブＣＰＵ２２１、プログラムＲＯＭ２２２、ワークＲＡＭ２２３、可動装飾部材制御回路２２４、表示制御回路２２５、音声制御回路２２６、及びランプ制御回路２２７を備えている。
【０１２０】
サブＣＰＵ２２１は、プログラムＲＯＭ２２２に記憶されたプログラムに従って、各種の処理を実行する機能を有する。特に、サブＣＰＵ２２１は、主制御回路２１０から供給される各種のコマンドに従って、副制御回路２２０の制御を行う。
【０１２１】
プログラムＲＯＭ２２２には、サブＣＰＵ２２１によりパチンコ１ａの遊技演出を制御するためのプログラムの他、各種のテーブルが記憶されている。プログラムや各種のテーブルは、プログラムＲＯＭ２２２に代えて、あるいはプログラムＲＯＭ２２２に加えて、コンピュータにおいて読み取り可能な他の記憶媒体に記録されたものを使用することができる。この場合の記憶媒体としては、例えばハードディスク装置、ＣＤ−ＲＯＭ、ＤＶＤ−ＲＯＭ、ＲＯＭカートリッジを使用することができる。また、上述のプログラムやテーブルは、電源投入後にパチンコ１ａの外部のサーバからダウンロードし、ワークＲＡＭ２２３に記録するようにしてもよい。
【０１２２】
ワークＲＡＭ２２３は、サブＣＰＵ２２１の一時記憶領域として種々のフラグや変数の値を記憶するものである。サブＣＰＵ２２１の一時記憶領域としては、ワークＲＡＭ２２３に代えて、あるいはワークＲＡＭ２２３に加えて、他の読み書き可能な記憶媒体を使用することができる。
【０１２３】
可動装飾部材制御回路２２４は、第１及び第２特別図柄が変動表示しているときの演出として、あるいは大当り遊技状態での演出として可動装飾部材２７１Ａ，２７１Ｂを駆動制御するためのものである。
【０１２４】
表示制御回路２２５は、サブＣＰＵ２２１から供給されるデータに応じて、表示装飾部材２７２及び液晶表示装置２７３における表示を制御するものである。この表示制御回路２２５は、表示装飾部材２７２を制御して、表示装飾部材２７２において所定のデジタル数字を変動表示あるいは停止表示させる制御を行う。
【０１２５】
表示制御回路２２５はまた、液晶表示装置２７３において画像表示を行うために、画像データプロセッサ（ＶＤＰ）、各種の画像データを生成するためのデータが記憶されている画像データＲＯＭ、画像データをバッファするフレームバッファ、画像データを画像信号として変換するＤ／Ａコンバータ等を含んでいる。表示制御回路２２５は、サブＣＰＵ２２１から供給される画像表示命令に応じて、液晶表示装置２７３に表示させるための画像データを一時的にフレームバッファに格納する。画像データとしては、例えば装飾図柄画像データ、背景画像データ、各種演出用画像データが含まれる。
【０１２６】
表示制御回路２２５はさらに、所定のタイミングで、フレームバッファに格納された画像データをＤ／Ａコンバータに供給する。Ｄ／Ａコンバータは、画像データを画像信号として変換し、所定のタイミングでこの画像信号を液晶表示装置２７３に供給する。液晶表示装置２７３では、Ｄ／Ａコンバータからの画像信号に基づいて画像が表示される。
【０１２７】
音声制御回路２２６は、スピーカ２７４から発生させる音声に関する制御を行うためのものであり、例えば音声に関する制御を行う音源ＩＣ、各種の音声データを記憶する音声データＲＯＭ、音声信号を増幅するための増幅器（ＡＭＰ）を含んでいる。音源ＩＣは、スピーカ２７４から発生させる音声、例えば告知、演出、エラー報知の制御を行うものである。音源ＩＣは、サブＣＰＵ２２１から供給される音声発生命令に応じて、音声データＲＯＭに記憶されている複数の音声データから一つの音声データを選択することができる。音源ＩＣはさらに、選択された音声データを音声データＲＯＭから読み出し、音声データを所定の音声信号に変換し、その音声信号をＡＭＰに供給することもできる。ＡＭＰは、音声信号を増幅させ、スピーカ２７４から音声を発生させる。
【０１２８】
ランプ制御回路２２７は、装飾ランプ等を含むランプ２７５の制御を行うためのものであり、ランプ制御信号を供給するためのドライブ回路、複数種類のランプ装飾パターンが記憶されている装飾データＲＯＭ等から構成されている。ランプ２７５は、例えば演出や告知など各種の報知を行うものである。
【０１２９】
図１６や図１７では、主制御回路２１０から副制御回路２２０に信号を供給し、副制御回路２２０から主制御回路２１０に対して信号を供給できないように構成された状態が示されているが、副制御回路２２０から主制御回路２１０に対して信号を送信できるように構成してもよい。
【０１３０】
図１６や図１７に示すように、パチンコ１ａが有する各装置に対して必要な電力を供給するための電源装置２６０が設けられている。電源装置２６０は電源基板２６０ｂを備え、電源基板２６０ｂには電源プラグ２６０ｃが接続されている。電源プラグ２６０ｃとそのコードＣ３は、キャビネットの背面部に設けられた貫通孔（不図示）から引き出される。引き出された電源プラグ２６０ｃは、パチンコ１ａの外部に設けられた電源コンセントの差し込み口に差し込まれる。この例では、電源基板２６０ｂと副制御回路２２０とが直接接続されているが、これらの間には中継基板などが介在してもよい。
【０１３１】
このようなパチンコ１ａでも、電源装置２６０の電源基板２６０ｂに接続されるケーブルＣ１，Ｃ２，Ｃ３，Ｃ４にはメタルケーブルを使用してフェライトコアを取り付けるのが望ましい。この場合、本発明の一実施形態におけるフェライトコアケース１００を適用すれば、パチスロ１の場合と同様の効果を得ることが可能である。
【０１３２】
なお、本発明は、上述した実施形態には限定されず、種々に設計変更可能である。例えば、本発明の一実施形態におけるフェライトコアケース１００をパチスロ１とパチンコ１ａに適用した場合について説明したが、このようなフェライトコアケース１００は、規則または法律のもとで試験を受け、さらにその試験を受けた状態を維持することが義務付けられている種々の遊技機に適用することができる。また、フェライトコアケース１００を遊技機の電源部分に適用する場合について説明したが、電源部分以外に適用してもよいことはもちろんである。さらに、遊技機やフェライトコアケース１００の細部のスペック（形状、大きさ、レイアウト等）も適宜変更することが可能である。
【符号の説明】
【０１３３】
１  パチスロ（遊技機）
１ａ  パチンコ（遊技機）
３６ｂ，２６０ｂ  電源基板
１００  フェライトコアケース
１１０  フェライトコア
１１２  凹部
１１３  回転防止片
１２０  固定手段，結束手段
１２１  バンド
１２２  鍔部
１２３  凸部
１３０  ケーブル
Ｄ１，Ｄ２  ケーブルが挿通される挿通方向
【図１】
0005916689.tif 000002
【図２】
0005916689.tif 000003
【図３】
0005916689.tif 000004
【図４】
0005916689.tif 000005
【図５】
0005916689.tif 000006
【図６】
0005916689.tif 000007
【図７】
0005916689.tif 000008
【図８】
0005916689.tif 000009
【図９】
0005916689.tif 000010
【図１０】
0005916689.tif 000011
【図１１】
0005916689.tif 000012
【図１２】
0005916689.tif 000013
【図１３】
0005916689.tif 000014
【図１４】
0005916689.tif 000015
【図１５】
0005916689.tif 000016
【図１６】
0005916689.tif 000017
【図１７】
0005916689.tif 000018